(57)【要約】【課題】仰臥状態にある人の体位を横向きに傾斜させることにより、いびきの発生を防止し快適な睡眠を確保することができる持ち運び可能なる流体袋を提供する。複数の流体袋を密着して重ね合わせた部分を支点として扇状に傾斜面を形成し、任意の傾斜角度を得ることができる。【解決手段】寝具上に仰臥する人体を横向きに傾斜させることができる傾斜面を有する流体袋であって、前記流体袋に流体を供給した際に略三角柱状に膨張する二以上の流体袋を少なくとも頂点近傍を密着して重ね合わせ、当該密着して重ね合わせた頂点部分を床面の長手方向に配置し、前記流体袋に流体を供給することによって流体袋における重ね合わせた頂点部分を支点として扇状に膨張させることによって最上部に重置された流体袋の上面に傾斜面を有する寝具用流体袋である。【選択図】図１
2011143237.tif 000002
【特許請求の範囲】
【請求項１】
寝具上に仰臥する人体を横向きに傾斜させることができる傾斜面を有する流体袋であって、流体を供給することによって略三角柱状、球状、又は円柱状のいずれか一の形状に膨張する流体袋を傾斜面の下に配置し、前記傾斜面の長手方向一端部を支持部として床面の長手方向に配置し、前記流体袋に流体を供給することによって前記傾斜面の支持部を支点として傾斜面に傾斜角を形成することを特徴とする傾斜面を有する寝具用流体袋。
【請求項２】
寝具上に仰臥する人体を横向きに傾斜させることができる傾斜面を有する流体袋であって、前記流体袋に流体を供給した際に略三角柱状に膨張する二以上の流体袋を少なくとも頂点近傍を密着して重ね合わせ、当該密着して重ね合わせた頂点部分を床面の長手方向に配置し、前記流体袋に流体を供給することによって流体袋における重ね合わせた頂点部分を支点として扇状に膨張させることによって最上部に重置された流体袋の傾斜面に傾斜角を形成する傾斜面を有する寝具用流体袋。
【請求項３】
前記傾斜面における支持部近傍に、長手方向に沿って凸状体を設けることによって傾斜面に傾斜角を形成した際に人体の側面が当該凸状体に密着することによって人体の滑りを防止することができる請求項１又は２記載の傾斜面を有する寝具用流体袋。
【請求項４】
前記各流体袋に供給する流体量を調整することによって、前記流体袋の傾斜面を傾斜角度３５〜８０°の範囲で調整することができる請求項１乃至３のいずれか一に記載された傾斜面を有する寝具用流体袋。
【請求項５】
前記流体袋の傾斜面に、寝具上に仰臥する人体が収まる大きさの凹部が形成されていることを特徴とする請求項１乃至４のいずれか一に記載された傾斜面を有する寝具用流体袋。
【請求項６】
前記流体袋に供給される流体が気体である場合において当該気体を供給することによって傾斜面に傾斜角を形成した際に、前記傾斜面に穿設された細孔より暖気又は冷気を噴射させることを特徴とする請求項１乃至５のいずれか一に記載された傾斜面を有する寝具用流体袋。
【請求項７】
前記流体袋を長手方向に二以上分断して縦置し、各流体袋に供給される流体量を調整することにより、各流体袋の膨張硬度の調整することができる請求項１乃至６のいずれか一に記載された傾斜面を有する寝具用流体袋。
【請求項８】
請求項１乃至７のいずれか一に記載された傾斜面を有する寝具用流体袋を寝台上に配置し、寝具用流体袋が前記寝台全面の半分以上の面積を占めるように短手方向片側に配置されたことを特徴とするいびき防止用安眠ベッド。
【請求項９】
前記寝台上における流体袋が配置されている長手方向端部と他端の長手方向端部近傍に凸状の落下防止用ストッパが設置されていることを特徴とする請求項８記載のいびき防止用安眠ベッド。
【発明の詳細な説明】
【技術分野】
【０００１】
本発明は傾斜角を形成することができる空気袋に関し、特に就寝中仰臥状態にある人の体位を横向きに傾斜させることができる傾斜面を有する寝具用空気袋に関する。
【背景技術】
【０００２】
一般に就寝中の人の上気道は起床時に比較して狭くなっている。これは睡眠によって顎の筋肉の緊張がとけ顎が喉の奥の方へ下がっていくからである。このために就寝中の人の呼吸抵抗は起床時に比べて大きなものになっている。更に肉体疲労、ストレス、風邪、花粉症、呼吸筋の老化や咽頭や鼻の病気等によって鼻詰まりを起こしている人は苦しさのあまり口を開けて呼吸する。口を開くと口中に空気が入り込み、口中の圧力が上がり、舌の根元がより沈下し、同時に軟口蓋や口蓋垂も下垂して空気の通る道がますます狭くなる。
【０００３】
従来いびきを防止する方法としては、市販のいびき薬、各種いびき防止グッズやレーザーメス等を用いた手術等が知られている。
市販のいびき薬、例えば点鼻薬等は鼻粘膜の充血を改善することによりいびきを防止する効果があるが、長く使っていると次第に使用量が増え、副作用の心配も考えられる。
また各種いびき防止グッズの代表的なものとしては、磁気を用いた鼻クリップが知られている。これは鼻の中心部である軟骨部をクリップによって挟むことにより、鼻の通りをスムーズにして呼吸抵抗を小さくし、開口を防止し、いびきの発生原因である上気道を広げ、鼻腔や気道の組織の振動や、空気が通る時の摩擦抵抗量を軽減することによりいびきを防止するものである。
【０００４】
又、別のいびき防止グッズとしては、プラスチック製のマスクを装着し、空気を送り込む装置をマスクに管で繋いで空気を送り込む。この空気の圧力が閉塞した上気道を広げることによりいびきや無呼吸を防ぐことができる。
しかしこれらのいびき防止グッズは毎晩装着する必要があり、就寝中に無意識に鼻をこすったり、外してしまったりすることも多く、誤飲や鼻の粘膜を傷付けるといった危険性もある。また、一体のマスクを複数人によって使用するのは衛生上好ましくないという欠点もある。また夏場はプラスチック製のマスクで汗をかき衛生上好ましくない。さらに取り外しが必要なので、夜中に起き上がる際に煩雑であった。
【０００５】
このような欠点を防止するものとして、ベッドの短手方向半分を可動とし、該可動部における傾斜角度を調整するいびき防止用ベッドが知られている（特許文献１参照）。さらに可動式ベッドとしては特許文献２に開示された技術が存在する。
しかし、上記のベッドはベッド本体を可動するためにシリンダ等の装置が必要であり、手軽に持ち運ぶことが困難である。
【先行技術文献】
【特許文献】
【０００６】
【特許文献１】特許第３７１５９００号公報
【特許文献２】特開昭６３−２２２７１１号公報
【特許文献３】特許第１９４５９９６号公報
【発明の概要】
【発明が解決しようとする課題】
【０００７】
本発明の目的は、仰臥状態にある人の体位を横向きに傾斜させることにより、いびきの発生を防止し快適な睡眠を確保することができ、持ち運びが可能な寝具用流体袋を提供することにある。
また本発明の他の目的は、複数の流体袋を密着して重ね合わせた部分を支点として扇状に傾斜面を形成することができ、任意の傾斜角度を得ることができる流体袋を提供することにある。
【０００８】
また本発明の他の目的は、傾斜面を形成した際に人体の滑り止めを防止することができる空気袋を提供することを目的とする。
さらに本発明の他の目的は、ベッド本体の可動に伴う人体の体位が変わることによって人体の転落を防止することにもある。
【課題を解決するための手段】
【０００９】
（１）寝具上に仰臥する人体を横向きに傾斜させることができる傾斜面を有する流体袋であって、流体を供給することによって略三角柱状、球状、又は円柱状のいずれか一の形状に膨張する流体袋を傾斜面の下に配置し、前記傾斜面の長手方向一端部を支持部として床面の長手方向に配置し、前記流体袋に流体を供給することによって前記傾斜面の支持部を支点として傾斜面に傾斜角を形成することを特徴とする傾斜面を有する寝具用流体袋である。
（２）寝具上に仰臥する人体を横向きに傾斜させることができる傾斜面を有する流体袋であって、前記流体袋に流体を供給した際に略三角柱状に膨張する二以上の流体袋を少なくとも頂点近傍を密着して重ね合わせ、当該密着して重ね合わせた頂点部分を床面の長手方向に配置し、前記流体袋に流体を供給することによって流体袋における重ね合わせた頂点部分を支点として扇状に膨張させることによって最上部に重置された流体袋の傾斜面に傾斜角を形成する傾斜面を有する寝具用流体袋である。
（３）前記傾斜面における支持部近傍に、長手方向に沿って凸状体を設けることによって傾斜面を形成した際に人体の側面が当該凸状体に密着することによって人体の滑りを防止することができる上記（１）又は（２）記載の傾斜面を有する寝具用流体袋である。
【００１０】
（４）前記各流体袋に供給する流体量を調整することによって、前記最上部に重置された流体袋の傾斜面を傾斜角度３５〜８０°の範囲で調整することができる上記（１）乃至（３）のいずれか一に記載された傾斜面を有する寝具用流体袋である。
（５）前記流体袋の傾斜面に、寝具上に仰臥する人体が収まる大きさの凹部が形成されていることを特徴とする上記（１）乃至（４）のいずれか一に記載された傾斜面を有する寝具用流体袋である。
（６）前記流体袋に供給される流体が気体である場合において当該気体を供給することによって傾斜面を形成した際に、前記傾斜面に穿設された細孔より暖気又は冷気を噴射させることを特徴とする上記（１）乃至（５）のいずれか一に記載された傾斜面を有する寝具用流体袋である。
（７）前記流体袋を長手方向に二以上分断して縦置し、各流体袋に供給される流体量を調整することにより、各流体袋の膨張硬度の調整することができる上記（１）乃至（６）のいずれか一に記載された傾斜面を有する寝具用流体袋である。
【００１１】
（８）上記（１）乃至（７）のいずれか一に記載された傾斜面を有する寝具用流体袋を寝台上に配置し、寝具用流体袋が前記寝台全面の半分以上の面積を占めるように短手方向片側に配置されたことを特徴とするいびき防止用安眠ベッドである。
（９）前記寝台上における流体袋が配置されている長手方向端部と他端の長手方向端部近傍に凸状の落下防止用ストッパが設置されていることを特徴とする上記（８）記載のいびき防止用安眠ベッドである。
【発明の効果】
【００１２】
本発明は、仰臥状態にある人の体位を横向きに傾斜させることにより、いびきの発生を防止し快適な睡眠を確保することができる持ち運び可能な寝具用流体袋を提供する効果を奏する。
また本発明の他の目的は、複数の流体袋を密着して重ね合わせた部分を支点として扇状に傾斜面に傾斜角を形成することができ、任意の傾斜角度を得ることができる寝具用流体袋を提供するという効果を奏する。
また本発明は、傾斜角を形成した際に人体の滑り止めを防止することができる寝具用流体袋を提供するという効果を奏する。
さらに本発明は、ベッド本体の可動に伴う人体の体位が変わることによって人体の転落を防止することができる寝具用流体袋を提供するという効果を奏する。
【図面の簡単な説明】
【００１３】
【図１】本発明に係る実施形態１の斜視図である。
【図２】図１に係る傾斜角度の調整を表す正面概念図である。（ａ）は流体袋を膨張させる前の状態を示す図、（ｂ）は一の流体袋を膨張させた状態を示す図、（ｃ）は流体袋を完全に膨張させた状態を示す図である。
【図３】本発明に係る実施形態２の斜視図である。
【図４】本発明に係る実施形態３の斜視図である。
【図５】本発明に係る実施形態４の斜視図である。
【図６】本発明に係る実施形態５の斜視図である。
【００１４】
【図７】本発明に係る実施形態６の斜視図である。
【図８】本発明に係る実施形態７の斜視図である。
【図９】本発明に係る実施形態８の斜視図である。
【図１０】本発明に係る寝具用空気袋の一例を示す斜視図である。
【図１１】本発明に係る寝具用空気袋を流体袋の配置されている側からみた側面概念図である。
【図１２】本発明に係る実施形態１１の正面概念図である。
【図１３】本発明に係る実施形態１２の斜視図である。
【図１４】本発明に係る実施形態１３の斜視図である。
【図１５】本発明に係る実施形態１３の正面概念図である。
【図１６】本発明に係る実施形態１４の正面概念図である。
【図１７】本発明に係る実施形態１４に使用される流体袋の断面概念図である。
【図１８】本実施例に係る寝具用流体袋の斜視図である。
【図１９】本実施例に係るいびき防止用安眠ベッドの制御手順を示すフローチャートである。
【発明を実施するための形態】
【００１５】
以下、本発明に係る実施形態を図面に基づいて説明する。以下の実施形態は本発明の例示であって本発明を以下の形態に限定するものではない。
実施形態１
図１は、本発明に係る実施形態１の斜視図である。
図１に示す如く、実施形態１に係る寝具用流体袋１は、図示しない人体を横向きに傾斜させることができる傾斜面２を有するものである。
本実施形態１における流体袋は、略三角柱状の二体の流体袋３Ａ，３Ｂを断面三角形状の頂点近傍を密着して重ね合わせた重ね合わせ部４を有する。本実施形態１における流体袋においては、かかる重ね合わせ部４が支持部となる。
前記流体袋３Ａ，３Ｂの重ね合わせた頂点部分（重ね合わせ部４の根元）を床面の長手方向に配置し、各流体袋３Ａ，３Ｂに図示しない流体経路より流体を送り込むことにより、流体袋における重ね合わせた頂点部分を支点５として図に示す如く扇状に膨張させることができる。そして流体を送り込み流体袋を膨張させると、流体袋の最上部に位置する流体袋３Ａの傾斜面２に傾斜角を形成することできる。
【００１６】
実施形態１に用いる流体としては、水や油等の液体、空気や窒素等の気体が挙げられる。取り扱いや移動便宜に鑑みると空気を利用するのが好ましい。
ここで前記流体袋に供給する流体量を調整することによって、流体袋の傾斜面を支点からの傾斜角度３０〜８０°の範囲で調整することができる。傾斜角３０°未満ではいびきを防止する際に効果が期待できず、８０°を超えると横向きとなった人体が回転する可能性が高くなるため好ましくない。好ましくは３５〜７５°が、より好ましくは４５〜７０°である。
【００１７】
このような傾斜角度の調整は、前記流体袋３Ａ，３Ｂの膨張率を調整することによる。図２（ａ）に示す如く、寝具７上に仰臥する人体Ｐが、いびきをかきはじめた場合、図２（ｂ）に示す如く流体袋３Ａのみを膨張させて傾斜角度を付加する。このような角度でいびきがおさまらない場合は、更に３Ｂに流体を供給することによって、傾斜面２の傾斜角度を上げることが可能である。
また複数の流体袋を多重式とすることによって傾斜角度を最大の８０°に設定した場合であっても従来よりも短時間で所定傾斜角度を得ることが可能となった。また多重式を採用すれば、流体圧を抑制することもでき、傾斜時間の短縮も可能となったことから消費電力をおさえることができ、現在問題となっているＣＯ2の削減に寄与することも可能である。
【００１８】
ここで、流体袋に用いられる材料としては、可撓性があれば特に制限はないが、軟質塩化ビニル、テフロン（登録商標）６６、ナイロン材、ポリエステル材、プラスチック材、ラミネート材、ウレタン材等が好ましい。これらの材料は膨縮を繰り返しても屈曲性、耐久性に優れ、軽量であり持ち運びの際にも極めて有用である。
また流体袋の裏面には生ゴムを吹き付け等によって塗布してもよい。生ゴムを被覆することによって、より機密性が向上するため好ましい。
この際、最上部に位置する流体袋３Ａの傾斜面２には、少し固めで厚いシートを積層すると良い。例えば、ウレタン樹脂等の表層用シートを被覆するのが好ましい。また硬質ウレタン樹脂と軟質塩ビ等の軟質ウレタン樹脂とを積層して用いても良い。表層用シートの材料としては、仰臥している人体が沈み込まないようにするために適していればどのような材料を用いても良い。
またはポリエステル等の通気性のある材料を表層用シートとして採用しても良いし、ウレタン樹脂と通気性のある材料を積層して構成しても良い。
さらに最上部には予め気体を充填して膨らませておいたエアーマットを積層しても良い。
このような寝具用空気袋１は、携帯することも可能であり、例えば旅先の旅館の布団やベッド上に設置して使用することも可能である。
【００１９】
実施形態２
図３は、本発明に係る実施形態２の斜視図である。図１と同じ機能を有する部材については、図１と同じ符号を使用する。
図３に示す如く、実施形態２に係る寝具用流体袋３０は図示しない人体を横向きに傾斜させることができる傾斜面２を有するものである。
【００２０】
流体袋は、略三角柱状の二体の流体袋３Ａ，３Ｂを断面三角形状の頂点近傍を密着して重ね合わせた重ね合わせ部（支持部）４を有する。このような構造において、各流体袋３Ａ，３Ｂに図示しない流体経路より流体を送り込むことにより、前記流体袋３Ａ，３Ｂの頂点（重ね合わせ部４の根元）を床面の長手方向に配置し、前記流体袋に流体を供給することによって流体袋における重ね合わせた頂点部分を支点５として図に示す如く扇状に膨張させることができる。そして流体を送り込み流体袋を膨張させると、流体袋の最上部に位置する流体袋３Ａの上面の傾斜面２に傾斜角を形成することできる。
【００２１】
本実施形態２に係る寝具用流体袋３０においては、更に前記最上部に位置する流体袋３Ａの上面であって支点５近傍において、長手方向に沿って凸状体３４が設けられている。かかる凸状体３４を形成することによって、傾斜面２を形成した際に、人体の肩部等が凸状体３４に接触することによって、人体の傾斜面２からの滑落を防止することができる。傾斜面２を設けても人体がベッド等の平坦部に滑落してしまうと、人体を横向きにすることができず、本発明の効果が得られない可能性がある。ベットからの落下を防止する技術は知られていたが、本実施形態２における凸状体３４を用いれば、人体の滑落を防止するという優れた効果を奏する。
さらに流体袋の上面において人体の重量を支えるために硬質材料のフレームを短手方向に内臓して張り渡しても良い。例えば、図３の点線で示したフレーム３６を任意に配置することができる。フレーム３６は、例えば形状記憶合金等の金属金具やプラスチック等の硬質材料によって形成することができる。
【００２２】
実施形態３
図４は、本発明に係る実施形態３の斜視図である。
図４に示す如く、実施形態３に係るいびき防止用安眠ベッド４０は、傾斜面４２を有する流体袋を寝台５１上に配置し、寝具用流体袋が前記寝台５１全面の半分以上の面積を占めるように短手方向片側に配置されている点に特徴を有する。寝台５１の表面はウレタン樹脂からなる表層用シート４８が全面に貼られており、その表層用シート４８上に寝具用流体袋と後述する落下防止用ストッパ４９が載置されている。
【００２３】
流体袋は、略三角柱状の三体の流体袋４３Ａ，４３Ｂ，４３Ｃを断面三角形状の頂点近傍を密着して重ね合わせた重ね合わせ部（支持部）４４を有する。このような構造において、各流体袋４３Ａ，４３Ｂ，４３Ｃに図示しない流体経路より流体を送り込むことにより、前記流体袋４３Ａ，４３Ｂ，４３Ｃの頂点（重ね合わせ部４４の根元）を床面の長手方向に配置し、前記流体袋に流体を供給することによって流体袋における重ね合わせた頂点部分を支点として図に示す如く扇状に膨張させることができる。そして流体を送り込み流体袋を膨張させると、流体袋の最上部に位置する流体袋４３Ａの上面の傾斜面４２に傾斜角を形成することできる。
【００２４】
本実施形態３に係るいびき防止用安眠ベッド４０においては、更に寝台５１の表層用シート４８上に流体袋が配置されている長手方向端部と他端の長手方向端部近傍に凸状の落下防止用ストッパ４９が設置されている。かかる落下防止用ストッパ４９は、傾斜面４２により反転した人体が寝台５１から落下することを防止している。
【００２５】
実施形態４
図５は、本発明に係る実施形態４の斜視図である。図４と同じ機能を有する部材については、図４と同じ符号を使用する。
図５に示す如く、実施形態４に係るいびき防止用安眠ベッド５０は、傾斜面４２が形成された寝具用流体袋を寝台５１上に配置し、寝具用流体袋が前記寝台５１全面の半分以上の面積を占めるように短手方向片側に配置されている点に特徴を有する。本実施形態４においては、巾方向の約２／３の部分に流体袋の支点４５が配置されている。寝台５１の表面はウレタン樹脂からなる表層用シート４８が全面に貼られており、その表層用シート４８上に寝具用流体袋と後述する落下防止用ストッパ４９及び流体枕４６が載置されている。
【００２６】
流体袋は、略三角柱状の三体の流体袋４３Ａ，４３Ｂ，４３Ｃを断面三角形状の頂点近傍を密着して重ね合わせた重ね合わせ部（支持部）を有する。このような構造において、各流体袋４３Ａ，４３Ｂ，４３Ｃに図示しない流体経路より流体を送り込むことにより、前記流体袋４３Ａ，４３Ｂ，４３Ｃの頂点（重ね合わせ部の根元）を床面の長手方向に配置し、前記流体袋に流体を供給することによって流体袋における重ね合わせた頂点部分を支点４５として図に示す如く扇状に膨張させることができる。そして流体を送り込み流体袋を膨張させると、流体袋の最上部に位置する流体袋４３Ａの上面の傾斜面４２に傾斜角を形成することできる。
この際、最上部に位置する流体袋４３Ａの傾斜面４２には、少し固めで厚いシートを積層すると良い。例えば、ウレタン樹脂等の表層用シートを被覆するのが好ましい。仰臥している人体が沈み込まないようにするためである。さらに流体袋４３Ａと４３Ｂ及び＼又は４３Ｂと４３Ｃの境界部にウレタン樹脂等のシートを挟持しても良い。
【００２７】
本実施形態４に係るいびき防止用安眠ベッド５０においては、更に前記最上部に位置する流体袋４３Ａの上面であって支点４５近傍において、長手方向に沿って凸状体５４が設けられている。かかる凸状体５４を形成することによって、傾斜面４２を形成した際に、人体の肩部等が凸状体５４に接触することによって、人体の傾斜面４２からの滑落を防止することができる。傾斜面４２を設けても人体がベッド等の平坦部に滑落してしまうと、人体を横向きにすることができず、本発明の効果が得られない可能性がある。
本実施形態４に係るいびき防止用安眠ベッド５０においては、更に寝台５１の表層用シート４８上に流体袋が配置されている長手方向端部と他端の長手方向端部近傍に凸状の落下防止用ストッパ４９が設置されている。かかる落下防止用ストッパ４９は、傾斜面４２により反転した人体が寝台５１から落下することを防止している。
【００２８】
また本実施形態４においては傾斜時に流体枕４６が流体膨張によって形成されるようになっている。傾斜面４２が形成され、人体が横向きになった際に、寝台５１上の平坦部５５に人体の頭部が横向きに載置される。この際、図示しない流体経路より流体を流体枕４６内に供給することによって、寝台５１上における流体袋の反対側の平坦部５５上の人体の頭部の位置に配置された流体枕４６が人体の肩幅の高さ分だけ膨張することになる。かかる流体枕４６を設け、流体袋を膨張させると共に枕の下に配置されている流体枕も膨張し始めるので、枕の人体が反転した際にも人体の頭部が自然に平坦部上に移動することから、就寝者の体。頭部分等に疲れないという効果を奏する。さらに流体枕４６上には、いびきを検知するためのマイク５６が設置されている。かかるマイク５６は図示しない人体より発生したいびきを電気信号に変換して図示しない制御装置に送信する。
【００２９】
実施形態５
図６は、本発明に係る実施形態５の斜視図である。
図６に示す如く、実施形態５に係る寝具用流体袋６０は人体Ｐを横向きに傾斜させることができる傾斜面６２を形成するものである。
【００３０】
流体袋は、略三角柱状の二体の流体袋６３Ａ，６３Ｂを断面三角形状の頂点近傍を密着して重ね合わせた重ね合わせ部（支持部）を有する。このような構造において、各流体袋６３Ａ，６３Ｂに図示しない流体経路より流体を送り込むことにより、前記流体袋６３Ａ，６３Ｂの頂点（重ね合わせ部の根元）を床面の長手方向に配置し、前記流体袋に流体を供給することによって流体袋における重ね合わせた頂点部分を支点として図に示す如く扇状に膨張させることができる。そして流体を送り込み流体袋を膨張させると、流体袋の最上部に位置する流体袋６３Ａの上面の傾斜面６２に傾斜角を形成することできる。
【００３１】
本実施形態５に係る寝具用空気袋６０においては、前記最上部に重置された流体袋６３Ａの傾斜面６２に、図６に示す如く寝具上に仰臥する人体Ｐが収まる大きさの凹部６５が形成されていることを特徴とする。かかる凹部６５は深さが３０〜１５０ｍｍ、好ましくは５０〜１００ｍｍ、より好ましくは６０ｍｍ〜８０ｍｍである。
また、前記流体袋６３Ａに供給される流体が気体である場合において当該気体を供給することによって傾斜面６２を形成した際に、前記傾斜面６２の凹部６５に穿設された複数の細孔６６より暖気又は冷気を噴射させることができる。
【００３２】
細孔６６は任意の大きさ及び数を穿設することができる。例えば、直径２０μｍ〜１００μｍの細孔６６を、幅方向に６０個×長手方向１８０個形成した場合、計３．８ｍｍ2〜５．２ｍｍ2の気体噴射面積を確保することが可能である。
上記構造を設けることによって、人体の加重が加わると、ミクロの孔が人体で押されて開口し、冬場は暖かい空気を噴出することができ、体が温まり冷え性等が改善される。一方、夏場は冷たい空気を噴出させることもできる。ただし、人体で押されない状態で開口するように構成しても良い。
また上記構造を設けることによって、流体袋に供給された空気等が少しずつ時間をかけて細孔から排出される。そして最上部の流体袋の空気等が排出された後、二段目の空気を排出するようにエアー弁を信号によって解放することができる。
【００３３】
実施形態６
図７は、本発明に係る実施形態６の斜視図である。本実施形態６は、２名で使用可能な寝具用流体袋である。
図７（ａ）は、寝具上に仰臥する２体の人体Ｐ１及びＰ２を頭部方向から視た正面概念図である。図７（ｂ）は人体Ｐ１及びＰ２を横向きに傾斜させた状態を示す正面概念図である。
【００３４】
本実施形態６は表層用シート７８上に寝具用流体袋を二体設置したものである（符号７０Ａ，７０Ｂ）。夫々の流体袋は、略三角柱状の二体の流体袋７３Ａ，７３Ｂを断面三角形状の頂点近傍を密着して重ね合わせて構成されている。このような構造において、各流体袋７３Ａ，７３Ｂに図示しない流体経路より流体を送り込むことにより、前記流体袋７３Ａ，７３Ｂの頂点（重ね合わせ部の根元）を床面の長手方向に配置し、前記流体袋に流体を供給することによって流体袋における重ね合わせた頂点部分を支点として図７（ｂ）に示す如く扇状に膨張させることができる。そして流体を送り込み流体袋を膨張させると、流体袋の最上部に位置する流体袋７３Ａの上面の傾斜面７２に傾斜角を形成することできる。
二体の寝具用流体袋７０Ａ及び７０Ｂは、別々に可動することができる。すなわち、人体Ｐ１よりいびきが発生した場合は、寝具用流体袋７０Ａのみ可動させることができる。
【００３５】
本実施形態６に係る寝具用流体袋においては、更に表層用シート７８上に設置された寝具用流体袋７０Ｂの側方に凸状の落下防止用ストッパ７９が設置されている。かかる落下防止用ストッパ７９は、寝具用流体袋７０Ｂの傾斜面７２より反転した人体が表層用シート７８から落下することを防止している。
また本実施形態６においては傾斜時に流体枕７６Ａ、７６Ｂが流体膨張によって形成されるようになっている。傾斜面７２に傾斜角が形成され、人体が横向きになった際に、表層用シート７８上の平坦部に人体の頭部が横向きに載置される。この際、図示しない流体経路より流体を流体枕７６Ａ，７６Ｂ内に供給することによって、表層用シート７８上における流体袋の反対側の平坦部上の人体の頭部の位置に配置された流体枕７６Ａ，７６Ｂが人体の肩幅の高さ分だけ膨張することになる。かかる流体枕７６Ａ，７６Ｂを設けることによって、人体が反転した際にも人体の頭部が自然に平坦部上に移動することから、就寝者の快適な睡眠を確保することができる。
【００３６】
実施形態７
図８は  本発明に係る実施形態７の斜視図である。本実施形態７は、２名で使用可能な寝具用流体袋の他の実施形態である。
図８は、寝具上に仰臥する人体Ｐ１及びＰ２を頭部方向から視た正面概念図であって、人体Ｐ１及びＰ２を横向きに傾斜させた状態を示す図である。
【００３７】
本実施形態７は表層用シート８８上に寝具用流体袋を二体設置したものである（符号８０Ａ，８０Ｂ）。夫々の流体袋は、略三角柱状の二体の流体袋８３Ａ，８３Ｂを断面三角形状の頂点近傍を密着して重ね合わせて構成されている。このような構造において、各流体袋８３Ａ，８３Ｂに図示しない流体経路より流体を送り込むことにより、前記流体袋８３Ａ，８３Ｂの頂点（重ね合わせ部の根元）を床面の長手方向に配置し、前記流体袋に流体を供給することによって流体袋における重ね合わせた頂点部分を支点として図８に示す如く扇状に膨張させることができる。そして流体を送り込み流体袋を膨張させると、流体袋の最上部に位置する流体袋８３Ａの上面の傾斜面８２に傾斜角を形成することできる。かかる傾斜面８２の傾斜角は左右対称形になるように形成されている。
二体の寝具用流体袋８０Ａ及び８０Ｂは、別々に可動することができる。すなわち、人体Ｐ１よりいびきが発生した場合は、寝具用流体袋８０Ａのみ可動させることができる。
【００３８】
また本実施形態７においては傾斜時に流体枕８６Ａ、８６Ｂが流体膨張によって形成されるようになっている。傾斜面８２に傾斜角が形成され、人体が横向きになった際に、表層用シート８８上の平坦部に人体の頭部が横向きに載置される。この際、図示しない流体経路より流体を流体枕８６Ａ，８６Ｂ内に供給することによって、表層用シート８８上における流体袋の反対側の平坦部上の人体の頭部の位置に配置された流体枕８６Ａ，８６Ｂが人体の肩幅の高さ分だけ膨張することになる。かかる流体枕８６Ａ，８６Ｂを設けることによって、人体が反転した際にも人体の頭部が自然に平坦部上に移動することから、就寝者の快適な睡眠を確保することができる。
【００３９】
実施形態８
図９は、本発明に係る実施形態８の斜視図である。特に流体袋に流体を供給する接続構造に関する。
図９に示す如く、実施形態８に係る寝具用空気袋９０は、図示しない人体を横向きに傾斜面９２を傾斜させることができる。
【００４０】
流体袋は、略三角柱状の二体の流体袋９３Ａ，９３Ｂを断面三角形状の頂点近傍を密着して重ね合わせた重ね合わせ部（支持部）９４を有する。このような構造において、各流体袋９３Ａ，９３Ｂの側面には夫々２箇所にカプラ９７Ａ，９７Ｂ，９７Ｃ，９７Ｄが設けてある。さらに正面にはカプラ９７Ｅ，９７Ｆが設けられている。また背面（図には示されていない）等にも夫々複数のカプラを設けることができる。前記流体袋９３Ａ，９３Ｂの頂点（重ね合わせ部９４の根元）を床面の長手方向に配置した後、流体管９８を任意のカプラに接続することによって、前記流体袋に流体を供給することによって流体袋における重ね合わせた頂点部分を支点９５として図８に示す如く扇状に膨張させることができる。そして流体を送り込み流体袋を膨張させると、流体袋の最上部に位置する流体袋９３Ａの傾斜面９２に傾斜角を形成することできる。
符号９６は、傾斜面９２が傾斜した際に、仰臥している人体の左足の滑落を防止するためのストッパーである。人体が横向きになった際に右足と左足とで、ストッパーを挟むようにすれば、左足の股関節の疲労を抑止することができる。好ましくは、ストッパー９６の巾を５０ｍｍ〜２００ｍｍとするのが好ましい。
なお図９においては、このように複数のカプラを接続することによって、寝具用空気袋９０をベッドの右半分に設置した場合、左半分に設置した場合、また流体袋は右肩が傾斜する方法が主流であるが、左肩が傾斜するようにしても良い。この際も就寝者の頭部から離れた足元の位置のカプラを選択して流体管９８を接続することができるので、流体供給時の騒音によって就寝が妨げられることがなくなる。
【００４１】
実施形態９
図１０は、本発明に係る寝具用空気袋の斜視図である。
図１０に示す如く、実施形態９に係る寝具用空気袋１００は図示しない人体を横向きに傾斜面を傾斜させることができる。
【００４２】
流体袋は、略三角柱状の四体の流体袋１０３Ａ，１０４Ａ，１０５Ａ，１０６Ａと一体の１０３Ｂを断面三角形状の頂点近傍を密着して重ね合わせる。このような構造において、各流体袋１０３Ａ，１０４Ａ，１０５Ａ，１０６Ａ及び１０３Ｂに図示しない流体経路より流体を送り込むことにより、流体袋における重ね合わせた頂点部分を支点として扇状に膨張させることができる。そして流体を送り込み流体袋を膨張させると、流体袋の最上部に位置する流体袋１０３Ａ，１０４Ａ，１０５Ａ，１０６Ａの傾斜面に傾斜角を形成することできる。仰臥する人体における頭部は１０６Ａに、上半身は１０５Ａに、腰部は１０４Ａに、足部は１０３Ａに配置されるように構成されている。
ここで本実施形態９に係る寝具用空気袋１００は、流体袋１０３Ａ，１０５Ａ，１０６Ａ及び１０３Ｂへは０．５ｋｇ／ｃｍ2〜１．０ｋｇ／ｃｍ2（０．０５ＭＰａ〜０．１Ｍｐａ）、好ましくは０．３〜０．８ｋｇ／ｃｍ2（０．０３ＭＰａ〜０．０８ＭＰａ）、より好ましくは０．１〜０．５ｋｇ／ｃｍ2（０．０１ＭＰａ〜０．０５ＭＰａ）の圧力になるように空気を供給し、流体袋１０４Ａへは常に前述の流体袋に比較して低圧力になるように０．３ｋｇ／ｃｍ2〜０．８ｋｇ／ｃｍ2（０．０３ＭＰａ〜０．０８ＭＰａ）の範囲で空気を供給することができる。
【００４３】
実施形態１０
図１１は、本発明に係る寝具用空気袋を流体袋の配置されている側からみた側面概念図である。
図１１に示す如く、実施形態１０に係る寝具用空気袋１１０は図示しない人体を横向きに傾斜面を傾斜させることができる。
【００４４】
流体袋は、略三角柱状の一体の１１３Ａと、四体の流体袋１１３Ｂ，１１４Ｂ，１１５Ｂ，１１６Ｂを断面三角形状の頂点近傍を密着して重ね合わせる。このような構造において、各流体袋１１３Ａ及び１１３Ｂ，１１４Ｂ，１１５Ｂ及び１１６Ｂに、図示しない流体経路より流体を送り込むことにより、流体袋における重ね合わせた頂点部分を支点として扇状に膨張させることができる。そして流体を送り込み流体袋を膨張させると、流体袋の最上部に位置する流体袋１１３Ａの傾斜面に傾斜角を形成することできる。仰臥する人体における頭部は１１３Ｂに、上半身は１１４Ｂに、腰部は１１５Ｂに、足部は１１６Ｂの位置に配置されるように構成されている。
【００４５】
ここで本実施形態１０に係る寝具用空気袋１１０は、流体袋１１３Ａ，１１３Ｂ，１１４Ｂ及び１１６Ｂへは０．５ｋｇ／ｃｍ2〜１．０ｋｇ／ｃｍ2（０．０５ＭＰａ〜０．１Ｍｐａ）、好ましくは０．３〜０．８ｋｇ／ｃｍ2（０．０３ＭＰａ〜０．０８ＭＰａ）、より好ましくは０．１〜０．５ｋｇ／ｃｍ2（０．０１ＭＰａ〜０．０５ＭＰａ）の圧力になるように空気を供給し、流体袋１１５Ｂへは常に前述の流体袋に比較して低圧力になるように０．３ｋｇ／ｃｍ2〜０．８ｋｇ／ｃｍ2（０．０３ＭＰａ〜０．０８ＭＰａ）の範囲で空気を供給することができる。
上記構成を採用することによって、二段目で流体圧を変えても最上部の流体袋によって自然な圧変化を人体に加えることができ、腰痛を持つ人に適した寝具を提供することができ、継ぎ目がなく肌触りも良いので年配者にも適した寝具を提供することができる。
【００４６】
実施形態１１
図１２は、本発明に係る実施形態１１の正面概念図である。本実施形態１１は、左右両方の傾斜を任意に選択可能な寝具用流体袋である。
本実施形態１１は寝台１４８上に寝具用流体袋を二体設置したものである（符号１４０Ａ，１４０Ｂ）。図１２において、傾斜面１４０Ｂは傾斜していない状態にある。夫々の流体袋は、略三角柱状の二体の流体袋１４３Ａ，１４３Ｂを断面三角形状の頂点近傍を密着して重ね合わせて構成されている。このような構造において、各流体袋１４３Ａ，１４３Ｂに図示しない流体経路より流体を送り込むことにより、前記流体袋１４３Ａ，１４３Ｂの頂点（重ね合わせ部の根元）を床面の長手方向に配置し、流体袋における重ね合わせた頂点部分を支点として図１２に示す如く寝具用流体袋１４０Ｂを扇状に膨張させることができる。そして流体を送り込み流体袋を膨張させると、流体袋の最上部に位置する流体袋１４３Ａの傾斜面１４２に傾斜角を形成することできる。
二体の寝具用流体袋１４０Ａ及び１４０Ｂは、就寝前に任意に可動を選択することができる。すなわち、好みに応じて左右の傾斜を選択できる点に特徴を有している。
【００４７】
本実施形態１１に係る寝具用流体袋においては、寝具用流体袋１４０Ａの上に重ねた寝具用流体袋１４０Ｂの滑りを防止するために、流体袋における重ね合わせた頂点部分にマグネット１４７を配置している。更に前記マグネット１４７と密着するマグネット１４９は寝台１４８に内臓されている。
寝具用流体袋１４０Ｂの滑りを防止する構造としては、他の構造を採用しても良い。例えば、寝具用流体袋１４０Ａの上面にリング状の輪を形成しておいて、その輪に寝具用流体袋１４０Ｂの端部に設けられた二本の紐を結び付けて固定しても良い。
【００４８】
実施形態１２
図１３は、本発明に係る実施形態１２の斜視図である。
図１３に示す如く、実施形態１２に係るいびき防止用安眠ベッド１５０は、傾斜面１５２を有する流体袋１５３Ａ，１５３Ｂ，１５３Ｃを寝台１５１上に配置し、寝具用流体袋が前記寝台１５１全面の半分以上の面積を占めるように短手方向片側に配置されている点に特徴を有する。寝台１５１の表面はウレタン樹脂からなる表層用シート１５８が全面に貼られている。
【００４９】
流体袋は、球状の三体の流体袋１５３Ａ，１５３Ｂ，１５３Ｃを長手方向に並べて配置して形成している。流体袋を球状に形成することにより、内部気圧が略均等に分散されるため、傾斜角形成時間を短縮することができ、また空気圧が球体内全体に均一にかかるため、長期間に渡って流体袋の破損を防止することができる。また、傾斜面１５２は、硬質ウレタン樹脂板１５４と軟質ウレタン樹脂又はエアーマット１５５を積層することによって形成されている。
前記流体袋１５３は、大きさを変化させても良い。例えば、膨張した際の直径について１５３Ａを５００ｍｍ、１５３Ｂを４００ｍｍ、１５３Ｃを３００ｍｍに制御することによって、頭部方向を傾斜角を大きくし、脚部に向って傾斜角を小さくし、傾斜面１５２の傾斜角に変化をもたせることができる。
このような構造において、傾斜面１５２の支持部を床面の長手方向に配置し、各流体袋１５３Ａ，１５３Ｂ，１５３Ｃに図示しない流体経路より流体を送り込むことにより、傾斜面１５２の根元を支点として傾斜面１５２に傾斜角を形成することできる。
【００５０】
実施形態１３
図１４は、本発明に係る実施形態１３の斜視図である。
図１４に示す如く、実施形態１３に係るいびき防止用安眠ベッド１６０は、傾斜面１６２を有する流体袋１６３を寝台１６１上に配置し、寝具用流体袋１６３が前記寝台１６１全面の半分以上の面積を占めるように短手方向片側に配置されている点に特徴を有する。寝台１６１の表面はウレタン樹脂からなる表層用シート１６８が全面に貼られている。
【００５１】
流体袋は、円柱状の流体袋１６３が配置して形成されている。また、傾斜面１６２は、硬質ウレタン樹脂板１６４と軟質ウレタン樹脂又はエアーマット１６５を積層することによって形成されている。
このような構造において、傾斜面１６２の支持部を床面の長手方向に配置し、各流体袋１６３に図示しない流体経路より流体を送り込むことにより、傾斜面１６２の支持部を支点として傾斜面１６２に傾斜角を形成することできる。
図１５は、本実施形態１３に係るいびき防止用安眠ベッド１６０の正面概念図である。
このような構造において、各流体袋１６３に図示しない流体経路より流体を送り込むことにより、前記流体袋１６３の支持部を支点として図１５に示す如く傾斜面１６２に傾斜角度を形成することができる。
かかる流体袋１６３は、ポリエステル、軟質塩ビ、ウレタン樹脂、ナイロン等によって形成されている内層１７４と繊維生地による外層１７５から形成されている。外層１７５は、内層の膨張を制御するものである。外層は、麻、ナイロン製生地、綿、フッ素樹脂等の圧力に耐える生地によって形成されている。外層の材料は、弾力性、耐久性があれば特に材料は限定されない。
傾斜面１６２の底面には、長手方向に沿って両端２箇所に、脚部１６７が形成されている。脚部１６７は、傾斜面１６２を寝台１６１とフラットにした場合に、空気の抜けた流体袋を収納する空間を傾斜面１６２の下方に形成する機能を有する。
さらに傾斜面１６２の支持部に角度検出装置を備えても良い。傾斜角を形成する際に、角度を検出して、傾斜面１６２の傾斜角を制御することができる。
【００５２】
実施形態１４
図１６は、本発明に係る実施形態１４の斜視図である。
図１６に示す如く、実施形態１４に係るいびき防止用安眠ベッド１７０は、傾斜面１７２を有する一体の流体袋１７３を寝台１７１上に配置し、寝具用流体袋１７３が前記寝台１７１の図示しない人体の頭部部分の下方に配置されている点に特徴を有する。寝台１７１の表面はウレタン樹脂からなる表層用シート１７８が全面に貼られている。
【００５３】
流体袋１７３としては、球状のものが配置されている。また、傾斜面１７２は、硬質ウレタン樹脂板１７４と、軟質ウレタン樹脂又はエアーマット１７５を積層することによって形成されている。
さらに流体袋１７３に空気を供給した際に、寝台１７１の短手方向外側への流体袋１７３の移動を防止するために、ずれ防止網１７７が張り渡されている。かかるずれ防止網１７７は、布や革等の可撓性があり、傾斜面１７２を寝台１７１とフラットにした際に折り畳める素材で形成されている。
このような構造において、傾斜面１７２の支持部を床面の長手方向に配置し、各流体袋１７３に図示しない流体経路より流体を送り込むことにより、傾斜面１７２の根元を支点として傾斜面１７２に傾斜角を形成することできる。
【００５４】
図１７は、本実施形態１４に使用される流体袋１７３の断面概念図である。
かかる流体袋１７３は、外層１８０と、内層１８１の二層から形成されている。内層の内側には空気１８４が充填されている。符号１８６は、図示しない流体経路より流体を流体袋１７３内部に搬送するための流体経路の一部である。
前記外層１８０は、耐圧力、耐久性のある麻、ナイロン製生地、綿、フッ素樹脂等の繊維生地によって形成されている。前記内層１８１は、ポリエステル、ウレタン、ウレタンゴム、ナイロン、軟質塩化ビニル等の材料によって形成されるが、弾力性、耐久性があれば材質は問わない。外層１８０は、内層１８１の膨張を制御する機能を有する。
【実施例】
【００５５】
本発明に係る傾斜面を形成する寝具用流体袋の実施例について図面に則して説明する。
図１８は、本実施例に係る寝具用流体袋１２０の斜視図である。
図１８に示す如く、本実施例に係る寝具用空気袋１２０は人体Ｐを横向きに傾斜させることができる傾斜面１２２が形成されたいびき防止用安眠ベッドである。
【００５６】
実施例に使用される流体袋は、略三角柱状の三体の流体袋１２３Ａ，１２３Ｂ，１２３Ｃを断面三角形状の頂点近傍を密着して重ね合わせた重ね合わせ部を有する。このような構造において、各流体袋１２３Ａ，１２３Ｂ，１２３Ｃには流体供給管１３６より流体を送り込むことにより、前記流体袋１２３Ａ，１２３Ｂ，１２３Ｃの頂点を支点として図に示す如く扇状に膨張させることができる。流体を送り込み流体袋１２３Ａ，１２３Ｂ，１２３Ｃを膨張させると、流体袋１２３の最上部に位置する流体袋１２３Ａの上面に傾斜面１２２を形成することできる。
【００５７】
本実施例に係る寝具用空気袋１２０においては、更に前記最上部に位置する流体袋１２３Ａの上面であって支点近傍において、長手方向に沿って凸状体１２４が設けられている。かかる凸状体１２４を形成することによって、傾斜面１２２を形成した際に、人体Ｐの肩部等が凸状体１２４に接触することによって、人体の傾斜面１２２からの滑落を防止することができる。本実施例における凸状体１２４を用いれば、人体Ｐの滑落を防止するという優れた効果を奏する。
また本実施例においては、図１６に示す如く寝具用流体袋は寝台１２７の巾方向の半分より多くの面積を占めている点に特徴を有する。
【００５８】
また本実施例においては傾斜時に流体枕１２６が流体膨張によって形成されるようになっている。傾斜面１２２が形成され、人体Ｐが横向きになった際に、寝台１２７上の平坦部に人体Ｐの頭部が横向きに載置される。この際、流体供給管１３５より空気を流体枕１２６内に供給することによって、寝台１２７上の傾斜部分の反対側の平坦部の人体Ｐの頭部の位置に配置された流体枕１２６が膨らみ、枕が肩幅の高さに調整される。
また人体Ｐの喉には、いびきを検知するための咽喉マイク１３８が設置されている。かかる咽喉マイクは人体Ｐより発生したいびきを電気信号に変換して制御装置に送信する。
さらに前記寝台上における流体袋が配置されている端部と他端長手方向に凸状の落下防止用ストッパ１２９が設置されている。このような落下防止用ストッパ１２９は、人体Ｐの寝台からの落下を防止する効果を有する。
【００５９】
本実施例において、流体としては空気を用いている。空気の供給は周知の方法を用いることができる。
ここでは、給気ポンプ１３１と、切替弁及び排気弁を内蔵した弁機構１３０と具備している。給気ポンプ１３１より取り込まれた空気は弁機構１３０の切替弁を介して流体供給管１３５，１３６より流体袋１２３Ａ，１２３Ｂ，１２３Ｃ、流体枕１２６、凸状体１２４、落下防止用ストッパ１２９に供給される。
この際、必要に応じて部分的に空気の供給を制御することが可能である。例えば、流体袋１２３Ａに空気を供給し、流体袋１２３Ｂ及び１２３Ｃに空気を供給しないことによって比較的緩い傾斜角の傾斜面１２２を形成することができる。また必要に応じて流体枕１２６や落下防止ストッパ１２９を使用しないことも可能である。
【００６０】
本実施例における弁機構１３０は、給気ポンプ１３１からの圧搾空気を送る際に、流体供給管１３５，１３６を連通せしめる給気状態と、前記流体袋１２３Ａ等から流体供給管１３６等を介して逆流しようとする空気の流れを止める閉栓状態と、空気を逆流させて排気弁１３２より外部へ排気せしめる排気状態とを任意に切り替える機能を具備している。
給気ポンプ１３１としては、ダイアフラム方式、モーター方式、ロータリー方式等のポンプを用いることができる。
【００６１】
次に本実施例の制御方法について説明する。
図１９は、本実施例に係るいびき防止用安眠ベッドの制御手順を示すフローチャートである。いびき防止用安眠ベッドの運転が開始されると、咽喉マイク１３８によりいびき検知が開始される（ステップＳ１）。いびきの有無は図示しない制御装置のＣＰＵによって判断される（ステップＳ２）。
咽喉マイク１３８によりいびきが検知されず、ＣＰＵがいびき無しと判断した場合は、上記のフローを繰り返す。
一方、微振動センサー又は咽喉マイク１３８によりいびきが検知され、検知信号がＣＰＵに入力されると、ＣＰＵはいびき有りと判断し、給気ポンプ１３１から流体供給管１３６を介して流体袋１２３Ａに空気を供給し流体袋１２３Ａを膨張させる。この際、予めに設定しておけば、流体袋１２３Ａのみならず、流体袋１２３Ｂ及び１２３Ｃを膨張させることも可能である。このように複数の流体袋を予め重ね合わせておくことによって任意の傾斜角度を素早く形成することができる。また流体袋以外の流体枕１２６、凸状体１２４、落下防止用ストッパ１２９にも予め設定により空気を供給することができる。
【００６２】
任意の流体袋１２３Ａ等を膨張させた後、流体ポンプの運転を間断運転に切り替え流体袋の膨張を維持する（ステップＳ４）。弁機構１３０によって閉栓状態により、流体袋等に供給された空気をそのまま袋内に維持して、流体袋等の膨張状態を所定時間保持する（ステップＳ５）。
ここで、本実施例においては流体袋の膨張状態を維持する際に、咽喉マイク１３８によりいびき検知が再開され（ステップＳ６）、ＣＰＵがその検知結果に基づいて、いびきの再発の有無を判断する（ステップＳ７）。
【００６３】
咽喉マイク１３８によりいびきが検知されず、ＣＰＵが人体からのいびきが停止したと判断した場合、弁機構１３０の排気弁１３２より空気を排気して（ステップＳ８）、流体袋等を収縮させ膨張を解除することができる（ステップＳ９）。
この際、供給された空気は３０分以内で排出され、傾斜面を水平に戻すことができる。また空気を抜く方法としては約６０秒〜９０秒程度で排出することもできる。排気弁１３２としてはマグネット弁を用いることができる。空気の排出は挿入ポンプ側から抜くこともできる。
以上の如く、本実施例においては、流体袋等の膨張状態を維持する際に、咽喉マイク１３８の検知結果に基づいて、いびきの再発の有無を判断すると共に、給気ポンプ１３１と弁機構１３０を制御することによって、人体Ｐからのいびきの再発の有無に応じて、流体袋１２３Ａ等への空気の供給と、空気の排気を制御することが可能となり、結果として就寝者の快適な睡眠を確保することができる。
【００６４】
本実施例の他の制御方法について以下説明する。
第一にタイマーを使用して作動開始時間を設定する。この際の設定時間としては、就寝後３分〜６０分が好ましい。
当初に設定された作動開始時間に達すると、エアーポンプ（例えば、ダイヤフラム方式）が起動し、傾斜面の下面に配置された流体袋に空気が供給される。傾斜面の傾斜角は、エアーポンプのエアー噴出し量とポンプ運転時間、及び流体袋の大きさによって決まる。傾斜面についての傾斜角の形成は、空気供給後、６０秒〜１８０秒が好ましい。
傾斜面の傾斜角として、例えば、６０〜７０度の角度でエアーポンプを停止、または間断運転をし、流体袋の膨張を維持する。この状態で１０分〜６０分停止する。
３０分経過後、再びエアーポンプが起動し、流体袋より弁機構を介して空気が排出され、傾斜面が水平に戻る。傾斜面が戻る時間や速度は、傾斜角を形成する際と同等が好ましい。例えば、時間は９０秒〜１８０秒が好ましい。
傾斜面がフラットな状態に戻った後、当初に設定された作動開始時間に達すると、再びエアーポンプが起動し、上記のフローを繰り返す。
【符号の説明】
【００６５】
１，３０  寝具用流体袋
２，４２  傾斜面
３Ａ，３Ｂ，４３Ａ，４３Ｂ  流体袋
４    重ね合わせ部（支持部）
５    支点
７    寝具
３４  凸状体
４０，５０  いびき防止用安眠ベッド
４６  流体枕
４９  落下防止用ストッパ
５１  寝台
【図１】
2011143237.tif 000003
【図２】
2011143237.tif 000004
【図３】
2011143237.tif 000005
【図４】
2011143237.tif 000006
【図５】
2011143237.tif 000007
【図６】
2011143237.tif 000008
【図７】
2011143237.tif 000009
【図８】
2011143237.tif 000010
【図９】
2011143237.tif 000011
【図１０】
2011143237.tif 000012
【図１１】
2011143237.tif 000013
【図１２】
2011143237.tif 000014
【図１３】
2011143237.tif 000015
【図１４】
2011143237.tif 000016
【図１５】
2011143237.tif 000017
【図１６】
2011143237.tif 000018
【図１７】
2011143237.tif 000019
【図１８】
2011143237.tif 000020
【図１９】
2011143237.tif 000021
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
寝具上に上向きに仰臥する人体を横向きに傾斜させることができる寝具用流体袋であって、人体の下に配置される直方状の傾斜面と、当該傾斜面の下に配置された流体を供給することによって略三角柱状、球状、又は円柱状のいずれか一の形状に膨張する流体袋を有し、前記傾斜面の長手方向一端部であって寝具面と接触する箇所にある支持部として寝具上の長手方向に配置され、前記流体袋に流体を供給することによって前記傾斜面の支持部を支点として傾斜面に傾斜角を形成することができ、前記流体袋を長手方向に二以上分断して縦置し各流体袋に供給される流体量を調整することにより、各流体袋の膨張硬度を調整できることを特徴とする傾斜面を有する寝具用流体袋。
【請求項２】
前記流体袋が略三角柱状の形状に膨張するものであって、前記流体袋に流体を供給した際に略三角柱状に膨張する二以上の流体袋を少なくとも頂点近傍を密着して重ね合わせ、当該密着して重ね合わせた頂点部分を床面の長手方向に配置し、前記流体袋に流体を供給することによって流体袋における重ね合わせた頂点部分を支点として扇状に膨張させることによって最上部に重置された流体袋の傾斜面に傾斜角を形成することを特徴する請求項１に記載された傾斜面を有する寝具用流体袋。
【請求項３】
前記傾斜面の支持部に、長手方向に沿って凸状体を設けることにより、傾斜面に傾斜角を形成した際に人体の肩部等の側面が当該凸状体に密着することによって人体の滑りを防止することができる請求項１又は２記載の傾斜面を有する寝具用流体袋。
【請求項４】
前記各流体袋に供給する流体量を調整することによって、前記流体袋の傾斜面を傾斜角度３５〜８０°の範囲で調整することができる請求項１乃至３のいずれか一に記載された傾斜面を有する寝具用流体袋。
【請求項５】
前記流体袋の傾斜面に、寝具上に仰臥する人体が収まる大きさの凹部が形成されていることを特徴とする請求項１乃至４のいずれか一に記載された傾斜面を有する寝具用流体袋。
【請求項６】
前記流体袋に供給される流体が気体である場合において当該気体を供給することによって傾斜面に傾斜角を形成した際に、前記傾斜面に穿設された細孔より暖気又は冷気を噴射させることを特徴とする請求項１乃至５のいずれか一に記載された傾斜面を有する寝具用流体袋。
【請求項７】
請求項１乃至６のいずれか一に記載された傾斜面を有する寝具用流体袋を寝台上に配置し、寝具用流体袋が前記寝台の短手方向における半分以上の面積を占めるように短手方向片側に配置されたことを特徴とするいびき防止用安眠ベッド。
【請求項８】
前記寝台上における流体袋が配置されている長手方向端部と他端の長手方向端部近傍に凸状の落下防止用ストッパが設置されていることを特徴とする請求項７記載のいびき防止用安眠ベッド。
【手続補正２】
【補正対象書類名】明細書
【補正対象項目名】０００９
【補正方法】変更
【補正の内容】
【０００９】
（１）寝具上に上向きに仰臥する人体を横向きに傾斜させることができる寝具用流体袋であって、人体の下に配置される直方状の傾斜面と、当該傾斜面の下に配置された流体を供給することによって略三角柱状、球状、又は円柱状のいずれか一の形状に膨張する流体袋を有し、前記傾斜面の長手方向一端部であって寝具面と接触する箇所にある支持部として寝具上の長手方向に配置され、前記流体袋に流体を供給することによって前記傾斜面の支持部を支点として傾斜面に傾斜角を形成することができ、前記流体袋を長手方向に二以上分断して縦置し各流体袋に供給される流体量を調整することにより、各流体袋の膨張硬度を調整できることを特徴とする傾斜面を有する寝具用流体袋である。
（２）前記流体袋が略三角柱状の形状に膨張するものであって、前記流体袋に流体を供給した際に略三角柱状に膨張する二以上の流体袋を少なくとも頂点近傍を密着して重ね合わせ、当該密着して重ね合わせた頂点部分を床面の長手方向に配置し、前記流体袋に流体を供給することによって流体袋における重ね合わせた頂点部分を支点として扇状に膨張させることによって最上部に重置された流体袋の傾斜面に傾斜角を形成することを特徴する上記（１）に記載された傾斜面を有する寝具用流体袋である。
（３）前記傾斜面の支持部に、長手方向に沿って凸状体を設けることにより、傾斜面に傾斜角を形成した際に人体の肩部等の側面が当該凸状体に密着することによって人体の滑りを防止することができる上記（１）又は（２）記載の傾斜面を有する寝具用流体袋である。
【手続補正３】
【補正対象書類名】明細書
【補正対象項目名】００１０
【補正方法】変更
【補正の内容】
【００１０】
（４）前記各流体袋に供給する流体量を調整することによって、前記流体袋の傾斜面を傾斜角度３５〜８０°の範囲で調整することができる上記（１）乃至（３）のいずれか一に記載された傾斜面を有する寝具用流体袋である。
（５）前記流体袋の傾斜面に、寝具上に仰臥する人体が収まる大きさの凹部が形成されていることを特徴とする上記（１）乃至（４）のいずれか一に記載された傾斜面を有する寝具用流体袋である。
（６）前記流体袋に供給される流体が気体である場合において当該気体を供給することによって傾斜面に傾斜角を形成した際に、前記傾斜面に穿設された細孔より暖気又は冷気を噴射させることを特徴とする上記（１）乃至（５）のいずれか一に記載された傾斜面を有する寝具用流体袋である。
【手続補正４】
【補正対象書類名】明細書
【補正対象項目名】００１１
【補正方法】変更
【補正の内容】
【００１１】
（７）上記（１）乃至（６）のいずれか一に記載された傾斜面を有する寝具用流体袋を寝台上に配置し、寝具用流体袋が前記寝台の短手方向における半分以上の面積を占めるように短手方向片側に配置されたことを特徴とするいびき防止用安眠ベッドである。
（８）前記寝台上における流体袋が配置されている長手方向端部と他端の長手方向端部近傍に凸状の落下防止用ストッパが設置されていることを特徴とする上記（７）記載のいびき防止用安眠ベッドである。